(57)【要約】      （修正有）【課題】過剰な液体がバルブに吸引されて、バルブが詰まったり破損したりするのを防止する定量的移送ピペット構造を提供する。【解決手段】定量的移送ピペット構造は、逆流防止コンパートメント１ａを有する第１のバルブ１を含み、液体は、開口部１１から中空管状体１０に流入し、逆流防止コンパートメント１ａに流れ込む。第１のバルブ１、第２のバルブ、及び第３のバルブの寸法と位置は、正確な定量と十分な混合の効果を達成するため、液体の特定の量を吸引して容器に移送し、特定のバルブを押すこと及び離すことにより、液体を容器内の物質と混合するように構成されている。【選択図】図１
0003229722.tif 000002
【実用新案登録請求の範囲】
【請求項１】
定量的移送ピペット構造であって、：
開口部及び上部開口部を含有する中空管状体と；
高さで前記上部開口部の位置以下である上端を有する逆流防止コンパートメントを含有する第１のバルブであって、ここで、前記第１のバルブは、次の条件（ａ）及び（ｂ）：
（ａ）前記第１のバルブは、第１のチャネルを介して前記上部開口部と相互接続する、及び
（ｂ）前記第１のバルブは前記上部開口部を囲む、
のうちの１つにある、第１のバルブと；
第２のバルブであって、次の条件（ｃ）及び（ｄ）：
（ｃ）第２のチャネル、及び
（ｄ）順次、前記第２のチャネル及び前記第１のチャネル、
のうちの１つを介して前記第１のバルブと相互接続するように構成された第２のバルブと；
第３のバルブであって、次の条件（ｅ）、（ｆ）、（ｇ）及び（ｈ）：
（ｅ）順次、第３のチャネル、前記第２のバルブ、及び前記第２のチャネル、
（ｆ）順次、前記第３のチャネル及び前記第２のチャネル、
（ｇ）前記第３のチャネル、及び
（ｈ）順次、前記第３のチャネル及び前記第１のチャネル、
のうちの１つを介して前記第１のバルブと相互接続するように構成された第３のバルブ；
を含む定量的移送ピペット構造。
【請求項２】
前記第２のバルブが前記第２のチャネルを介して前記第１のバルブと相互接続するとき、前記第２のチャネルが前記第１のバルブと接続する位置が前記上端の位置より高い、請求項１に記載の定量的移送ピペット構造。
【請求項３】
前記第２のバルブが前記第２のチャネル及び前記第１のチャネルを順次に介して前記第１のバルブと相互接続するとき、前記第２のチャネルが前記第１のチャネルと接続する位置が前記上端の位置より高い、請求項１に記載の定量的移送ピペット構造。
【請求項４】
前記第３のバルブが、前記第３のチャネル及び前記第２のチャネルを順次に介して前記第１のバルブと相互接続し、且つ、前記第３のバルブが、前記第３のチャネル及び前記第２のチャネルの他端を順次に介して前記第２のバルブと相互接続する、請求項１に記載の定量的移送ピペット構造。
【請求項５】
前記第３のチャネルが前記第１のバルブ及び前記第１のチャネルの一方と接続する位置が、前記上端の位置よりも高い、請求項１に記載の定量的移送ピペット構造。
【請求項６】
前記第３のバルブは、前記第１のバルブと前記第２のバルブとの間に構成され、且つ、前記第３のバルブが、前記第３のチャネル及び前記第２のチャネルを順次に介して、前記第１のバルブと相互接続するときに、前記第２のチャネルの他端を介して前記第２のバルブと相互接続する、請求項１に記載の定量的移送ピペット構造。  
【請求項７】
前記第１のバルブの容量が前記中空管状体の容量以上であり、前記第２のバルブの容量が中空管状体の容量より小さい、及び前記第３のバルブの容量が前記中空管状体の容量以上である、請求項１に記載の定量的移送ピペット構造。
【請求項８】
前記中空管状体の材料がプラスチック、ガラス又はそれらのコンポジットである、請求項１に記載の定量的移送ピペット構造。
【請求項９】
前記定量的移送ピペット構造が、前記第１のバルブ、前記第２のバルブ、前記第３のバルブ、前記第２のチャネル及び前記第３のチャネルに接続及び固定するように構成されるフィンをさらに含む、請求項１に記載の定量的移送ピペット構造。
【請求項１０】
前記第１のバルブ、前記第２のバルブ、前記第３のバルブ、前記第２のチャネル、前記第３のチャネル及び前記フィンは、同じ平面に位置する、請求項９に記載の定量的移送ピペット構造。
【請求項１１】
第１のバルブが横方向に構成された第１のチャネルを介して前記上部開口部と相互接続し、第２のチャネルが曲がった形状であり、前記第２のバルブが前記第２のチャネルを介して前記第１のバルブの前記上端に接続し、前記第３のバルブが前記第３のチャネルを介して前記第２のチャネルの曲がった部分と接続し、及び次に、第1のバルブ及び第2のバルブと個別に相互接続し、及び前記逆流防止コンパートメントの前記上端の高さは、前記上部開口部の位置以下である、請求項１に記載の定量的移送ピペット構造。
【考案の詳細な説明】
【技術分野】
【０００１】
考案の背景
1.  考案の分野
本考案は、定量的移送ピペット構造に関し、より詳細には、正確な定量及び十分な混合のための定量的移送ピペット構造に関する。
【背景技術】
【０００２】
２．  従来技術の説明
ドロッパー（Ｄｒｏｐｐｅｒ）は、管状体とそれに連結された拡張部とを含む液体吸引機構であり、前記管状体内の前記液体を他の場所に移送したり、前記管状体内で前記液体と他の物質とを混合したりするように構成される。
【考案の概要】
【考案が解決しようとする課題】
【０００３】
従来のドロッパーでは、ゴムバルブ(bulb)が管状体の一端に配置されている。使用者は、管状体及び前記バルブから空気を分配するため、前記バルブを押し、液体をその開口部から管状体に吸引するため、前記バルブを解放し、そして、吸引された液体を管状体から分配するため、再度前記バルブを押す。しかしながら、そのようなドロッパーを使用して、前記液体の吸引又は分配された容量を正確に定量化することはできない。さらに、過剰な液体が前記バルブに吸引されて、前記バルブが詰まったり破損したりすることがある。
【０００４】
したがって、先行技術で遭遇した上記の状況に対処することは、出願人の試みである。
【課題を解決するための手段】
【０００５】
考案の概要
本考案の主な目的は、定量的移送ピペット構造を提供することである。第１のバルブの逆流防止コンパートメントの設計、ならびに第１のバルブ、第２のバルブ及び第３のバルブ間のサイズ及び相対的構成を通じて、正確な定量と十分な混合の効果を達成するように、オペレータは、本考案の定量的移送ピペット構造を操作して、特定の量の液体を容器に吸引し、バルブを押し且つ放して、液体と容器内の材料とを混合することができる。
【０００６】
したがって、本考案は、中空管状体、第１のバルブ、第２のバルブ及び第３のバルブを包含する定量的移送ピペット構造を開示する。このうち、前記中空管状体は、開口部と上部開口部を含有する。前記第１のバルブは、上端が高さで上部開口部の位置と等しいかそれよりも低い上縁を有する逆流防止コンパートメントを含有する。ここで、第１のバルブは次のように条件（ａ）又は（ｂ）にある。：
（ａ）第1のバルブは、第1のチャネルを介して上部開口部と相互接続する、又は
（ｂ）第１のバルブは上部開口部を囲む。
第２のバルブは、次のように、条件（ｃ）又は（ｄ）を介して第１のバルブと相互接続するように構成される。：
（ｃ）第２のチャネル、又は
（ｄ）順次、第２のチャネル及び第１のチャネル。
第３のバルブは、次のように条件（ｅ）、（ｆ）、（ｇ）及び（ｈ）のいずれかを介して、第１のバルブと相互接続するように構成されている。：
（ｅ）順次、第３のチャネル、第２のバルブ及び第２のチャネル、
（ｆ）順次、第３のチャネル及び第２のチャネル、
（ｇ）第３のチャネル、又は
（ｈ）順次、第３のチャネル及び第１のチャネル。
【０００７】
本考案のこれら及び他の目的は、様々な図及び図面に示される好ましい実施形態の以下の詳細な説明を読んだ後、当業者には疑いなく明らかになるであろう。
【図面の簡単な説明】
【０００８】
【図１】図１（ａ）は、本考案の第１の実施形態において、第１のバルブが第１のチャネルを介して中空管状体と相互接続することを示す側面図である。図１（ｂ）は、本考案の第２の実施形態において、第１のバルブが中空管状体を取り囲んでいることを示す側面図である。
【図２】図２（ａ）、２（ｂ）及び２（ｃ）は、本考案の第１の実施形態において、第２のバルブが第１のバルブと相互接続することを示す側面図である。
【図３】図３（ａ）、３（ｂ）、３（ｃ）、３（ｄ）及び３（ｅ）は、本考案の第１の実施形態における図２（ａ）に基づく第３のバルブが第１のバルブと相互接続することを示す側面図である。
【図４】図４（ａ）及び４（ｂ）は、本考案の第１の実施形態における図２（ｂ）に基づく第３のバルブが第１のバルブと相互接続することを示す側面図である。
【図５】図５（ａ）及び５（ｂ）は、本考案の第１の実施形態における図２（ｃ）に基づいて第３のバルブが第１のバルブと相互接続することを示す側面図である。
【図６】図６は、本考案の第２の実施形態において第２のバルブが第１のバルブと相互接続することを示す側面図である。
【図７】図７（ａ）、７（ｂ）及び７（ｃ）は、本考案の第２の実施形態における第３のバルブが第１のバルブと相互接続することを示す側面図である。
【図８】図８は、本考案の第１の実施形態による使い捨てマイクロタイター移送ピペットを示す立体図である。
【考案を実施するための形態】
【０００９】
詳細な説明
本考案を、以下の実施形態を参照してより具体的に説明する。本考案の好ましい実施形態の以下の説明は、例示及び説明のみを目的として本明細書に提示されることに留意されたい。それらは網羅的であること、又は開示された正確な形式に限定されることを意図していない。
【００１０】
本考案の定量的移送ピペット構造では、中空管状体に隣接する逆流防止コンパートメントが前記管状体の上部に配置されているため、定量的移送ピペット構造によって吸引された第１の液体の余分な量が逆流防止コンパートメントに入り、且つ管状体内の第１の液体の体積は、依然として所定の値として維持される。逆流防止コンパートメント内の第１の液体の余分な量は、管状体に逆流して、混合液体と再び混合することはなく、且つ混合液体中の特定の物質の濃度を乱すことはない。
【００１１】
図１（ａ）及び１（ｂ）を参照してされたい。これらはそれぞれ、
（ａ）本考案の第１の実施形態において、第１のバルブは、第１のチャネルを介して中空管状体と相互接続すること、及び
（ｂ）本考案の第２の実施形態では、第１のバルブが中空管状体を取り囲んでいること、
を示す側面図である。逆流防止コンパートメント１ａを有する第１のバルブ１は、第１のチャネル４（図１（ａ））を介して管状体１０の上部開口部１２と相互接続するか、又は逆流防止コンパートメント１ａを有する第１のバルブ１は、管状体１０の上部開口部１２を囲み（図１（ｂ））、且つ（図１（ａ）及び１（ｂ）において破線で示されるように）逆流防止コンパートメント１ａの上縁１４は、高さにおいて上部開口部１２の位置に等しいか又はそれよりも低い。したがって、液体（図示せず）は、開口部１１から中空管状体１０に流入し、その後、液体の余剰量が第１のチャネル４を介して逆流防止コンパートメント１ａに流入するか、又は第１のチャネル４がない場合は直接逆流防止コンパートメント１ａに流れ込む。余分な量の液体は逆流防止コンパートメント１ａに留まり、他のバルブが操作されても管体１０に逆流しない。さらに、図１（ａ）では、第１のチャネル４は、好ましくは、横又は水平構成によって管状体１０及び第１のバルブ１と相互接続する。
【００１２】
図2（a）、2（b）、及び2（c）を参照されたい。これらは、本考案の第１の実施形態において第２のバルブが第１のバルブと相互接続することを示す側面図である。第２のバルブ２は、第１の実施形態では様々な方法で第２のチャネル５を介して第１のバルブ１と相互接続する。１つの特定の例では、第２のバルブ２は、第１のバルブ１の上端の上に構成され、且つ第２のチャネル５を介して第１のバルブ１と相互接続する（図２（ａ））。別の特定の例では、第２のバルブ２は、第２のチャネル５を介して第１のチャネル４と接続し、その結果、第２のバルブ２は、第２のチャネル５及び第１のチャネル４を介して第１のバルブ１と順次相互接続する。当業者は、その要求に応じて、第２のチャネル５が第１のチャネル４に接続する位置を決定することができる。例えば、第２のチャネル５は、第１のチャネル４の中央部分に接続する（図２（ｂ））。あるいは、第２のチャネル５及び管状体１０の上部開口部１２は、第１のチャネル４の端部で収束する(converge)（図２（ｃ））。
【００１３】
図３（ａ）〜３（ｅ）を参照されたい。これらは、本考案の第１の実施形態における図２（ａ）に基づく第３のバルブが第１のバルブと相互接続することを示す側面図である。具体的な一例では、第３のバルブ３は、第３のチャネル６を介して第２のバルブ２と相互接続し、次いで、第２のバルブ２は、第２のチャネル５を介して第１のバルブ１と相互接続する。したがって、第３のバルブ３は、第３のチャネル６、第２のバルブ２及び第２のチャネル５を順次介して第１のバルブ１と相互接続する（図３（ａ））。１つの特定の例では、第３のバルブ３は、第２のチャネル５の分岐として機能し得る第３のチャネル６を介して第２のチャネル５と接続し、及びしたがって、第３のバルブ３は、第３のチャネル６及び第２のチャネル５を順次に介して第１のバルブ１と相互接続する（図３（ｂ））。別の特定の例では、第３のバルブ３は、第２のチャネル５又は第２のバルブ２と接続するのではなく、第３のチャネル５を介して第１のバルブ１と直接相互接続する（図３（ｃ））。また、第３のチャネル６が逆流防止コンパートメント１ａの上縁１４の上の位置に構成されることが不可欠である。別の特定の例では、第３のバルブ３は、第２のチャネル５又は第２のバルブ２と接続するのではなく、第３のチャネル６及び第１のチャネル４を順次に介して第１のバルブ１と相互接続する。さらに、第３のチャネル６は、第１のチャネル４の中央部分に接続する（図３（ｄ））。あるいは、第３のチャネル６及び管状体１０の上部開口部１２は、第１のチャネル４の端部で収束する(converge)（図３（ｅ））。さらに、第３のチャネル６もまた、逆流防止コンパートメント１ａの上縁１４の上の位置に構成されるべきである（図３（ｄ）及び３（ｅ））。
【００１４】
図4（a）及び4（b）を参照されたい。これらは、本考案の第１の実施形態における図２（ｂ）に基づいて、第３のバルブが第１のバルブと相互接続することを示す側面図である。図３（ａ）から３（ｅ）の図で説明されているように、第３のバルブ３は、包含するがこれらに限定されないが、第３のチャネル６、第２のバルブ２及び第２のチャネル５を順次に介して（図４（ａ））、又は第３のチャネル６を介して（図４（ｂ））第１のバルブ１と相互接続する。し、これに限定されない。順次（図４（ａ））、又は第３のチャネル６を介して（図４（ｂ））。
【００１５】
図５（ａ）及び５（ｂ）を参照されたい。これらは、本考案の第１の実施形態における図２（ｃ）に基づいて第３のバルブが第１のバルブと相互接続することを示す側面図である。図３（ａ）から３（ｅ）の図で説明したように、第３のバルブ３は、第３のチャネル６、第２のバルブ２及び第２のチャネル５を順次に介して第１のバルブ１と相互接続し、且つ第２のチャネル５は、第１のチャネル４及び管状体１０の上部開口部１２と収束する(converge)（図５（ａ））。あるいは、第３のバルブ３は、包含するがこれに限定されない、第３のチャネル６及び第１のチャネル４を順次に介して第１のバルブ１と相互接続する（図５（ｂ））。
【００１６】
図６を参照されたい。これは、本考案の第２の実施形態において第２のバルブが第１のバルブと相互接続することを示す側面図である。図６は、図１（ｂ）に基づいて導出及び修正されている。図６において、第２のバルブ２は、第２のチャネル５を介して第１のバルブ１と相互接続し、逆流防止コンパートメント１ａを有する第１のバルブ１は、管状体１０の上部開口部を囲み、且つ第２のチャネル５が第１のバルブ１と相互接続する位置は、逆流防止コンパートメント１ａの上縁１４の位置よりも高い。
【００１７】
図７（ａ）、７（ｂ）、及び７（ｃ）を参照されたい。これらは、図６に基づいて、第３のバルブが第１のバルブ１番目の電球と相互接続していることを示しています。図３（ａ）〜３（ｅ）の図で説明されているように、第３のバルブ３は、第２の実施形態において、第３のチャネル６、第２のバルブ２及び第２のチャネル５を順次に介して第１のバルブ１と相互接続する（図７（ａ））。あるいは、第３のバルブ３は、第３のチャネル６及び第２のチャネル５を介して第１のバルブ１と相互接続し、且つ第２のチャネル５の他の端子は、第２のバルブ２に接続する（図７（ｂ））。あるいは、第３のバルブ３は、第３のチャネル６を介して第１のバルブ１と相互接続し、且つ第３のチャネル６が第１のバルブ１と相互接続する位置は、逆流防止コンパートメント１ａの上縁１４の位置よりも高い。
【００１８】
上記の実施形態から、本考案の定量的移送ピペット構造により、第１から第３のバルブ及び第２及び第３のチャネルの相互接続及び組み合わせにより、又は第１から第３のバルブ及び第１から第３のチャネルの相互接続及び組み合わせにより、液体の正確な体積定量及び容器内の物質との定量された液体体積の十分な混合が達成されることが知られている。さらに、容器内の物質は、固体、ゲル又は液体であり得る。本考案の定量的移送ピペット構造において、第１のバルブの容量は、管状体の容量以上でなければならず、第２のバルブの容量は、管状体の容量より小さくなければならず、且つ第３のバルブは、管状体の容量と同じかそれ以上でなければならない。管状体の材料は、プラスチック、ガラス、又はそれらの組み合わせであってよい。すべてのバルブ及びチャネルの材料は、弾性又は可撓性の材料、例えばプラスチック、であり得、且つ管状体とすべてのバルブとチャネルを1つのピースに統合して、相互接続可能な中空の定量的移送ピペット構造として製造できる。
【００１９】
定量的移送ピペット構造の構造的安定性を強化するため、且つユーザーの保持を容易にするために、すべてのバルブと第２と第３のチャネルを固定するように、又はすべてのバルブと第１から第３のチャネルを固定するように、フィンを構成することができる。すべてのバルブ、第２と第３のチャネル、及びフィンが同じ平面上にあることが望ましい。あるいは、すべてのバルブ、第１から第３のチャネル、及びフィンは同じ平面に配置される。
【００２０】
図に示される直線状の第１、第２、及び第３のチャネルは、例示的な実施形態にすぎず、長さ、形状、及び三次元構成は、必要に応じて当業者によって変更され得る。例えば、図３（ｂ）の第３のチャネル６の長さは、ゼロに近づくように短くすることができ、及びしたがって、第３のバルブ３は、第２のチャネル５から「芽を出した」球根(bulb)のように見える（図示せず）。例えば、図３（ｂ）の第３のバルブ３は、第２のチャネル５と融合して第３のチャネル６を消滅させ、及びしたがって、第３のバルブ３は、第２のチャネル５の拡張部分のように見える。
【００２１】
図８を参照されたい。これは、本考案の第１の実施形態による使い捨てマイクロタイター移送ピペットを示す立体図である。図８の使い捨てマイクロタイター移送ピペットでは、第１のバルブ１は、横方向に（laterally）構成された第１のチャネル４を介して管状体１０の上部開口部１２と相互接続し、第２のバルブ２は、曲がった第２のチャネル５を介して、第１のバルブ１の上縁１４の位置より高い位置に接続し、第３のバルブ３は、第３のチャネル６を介して第２のチャネル５の屈曲部分に接続し、及び次いで、第１のバルブ１及び第２のバルブ２と個別に相互接続し、第１のバルブ１の逆流防止コンパートメント１ａの上縁１４は、高さにおいて上部開口部１２の位置よりも高くない。図８において、フィン１３は、ユーザーが握ることを容易にするように、バルブ１〜３及びチャネル４〜６の間の構造的安定性を強化する。
【００２２】
ユーザーは、使い捨てマイクロタイター移送ピペット１００の第１のバルブ１を押し、管状体１０を第１の容器（図示せず）の第１の液体に挿入する。第１のバルブ１を解放すると、第１の液体は、使い捨てマイクロタイター移送ピペット１００内の空気圧に曝され、開口部１１を介して管状体１０に吸引され、管状体１０内の第１の液体の体積は、指定した値である。冗長な第１の液体は、存在する場合、第１のバルブ１の逆流防止コンパートメント１ａに流入する。続いて、管状体１０が第２の容器（図示せず）に挿入され、第３のバルブ３が押され、マイクロタイター移送ピペット１００内の空気圧が管状体１０内の第１の液体を駆動して、物質（例えば、第２の液体又は固体試薬）が含まれる第２の容器に完全に入る。第２の容器内の第１の液体と第２の液体は、第２のバルブ２を１回以上押して離すことにより、混合物として十分に混合される。したがって、ユーザーは、正確に定量化された量の第１の液体を別の容器に移して、この容器内の物質と混合物として十分に混合することができる。混合物はさらに処理することができる。
【００２３】
別の操作方法では、ユーザーは、第３のバルブ３を押し、管状体１０を第１の容器に挿入する。同様に、第３のバルブ３を開放すると、第１の容器内の第１の液体は開口１１を介して管状体１０に吸引され、管状体１０内の第１の液体の体積は依然として上記の指定した値である。冗長な第１の液体は、存在する場合、逆流防止コンパートメント１ａに流入する。続いて、管状体１０を第２の容器に挿入し、第３のバルブ３を押して、管状体１０内の第１の液体を駆動して、第２の容器に完全に分配する。第２のバルブ２を押して離すことにより、第１の液体と第２の液体が混合物として十分に混合される。この方法では、第１のバルブ１は、冗長な第１の液体のみを収容するために使用することができ、作動時に押されず、解放されない。
【００２４】
本考案は、現在最も実用的で好ましい実施形態であると現在考えられているものに関して説明されているが、本考案は、開示された実施形態に限定される必要はないことを理解されたい。それどころか、添付の請求項の精神及び範囲内に含まれる様々な修正及び類似の配置をカバーすることが意図され、それらはすべてのそのような修正及び類似の構造を包含するように最も広い解釈が与えられるべきである。
【００２５】
当業者は、本考案の教示を保持しながら、装置及び方法の多くの修正及び変更を行うことができることを容易に理解するであろう。したがって、上記の開示は、添付の請求項の境界によってのみ限定されると解釈されるべきである。
【符号の説明】
【００２６】
１  第１のバルブ
１ａ  逆流防止コンパートメント
２  第２のバルブ
３  第３のバルブ
４  第１のチャネル
５  第２のチャネル
６  第３のチャネル
１０  管状体
１１  開口部
１２  上部開口部
１３  フィン
１４  上縁
１００  使い捨てマイクロタイター移送ピペット
【図１】
0003229722.tif 000003
【図２】
0003229722.tif 000004
【図３】
0003229722.tif 000005
【図４】
0003229722.tif 000006
【図５】
0003229722.tif 000007
【図６】
0003229722.tif 000008
【図７】
0003229722.tif 000009
【図８】
0003229722.tif 000010